(57)【要約】      （修正有）【課題】フリッカ現象等を改善させた表示装置及びその駆動方法を提供する。【解決手段】表示装置は複数のピクセルを含む表示パネル、１つのフレームに対応するフレーム映像信号ＦＩＰＳを受信し、フレーム映像信号に基づいて、表示パネルを駆動させる第１サブフレーム映像信号ＦＩＳＰＳ１と第２サブフレーム映像信号ＦＩＳＰＳ２とを生成する制御部１００を含み、制御部１００はフレーム映像信号ＦＩＰＳに高周波成分を増加させた高周波映像信号ＨＩＳとフレーム映像信号ＦＩＰＳから高周波成分を減少させた低周波映像信号ＬＩＳとを出力するフィルター部１０２、低周波映像信号ＬＩＳと高周波映像信号ＨＩＳを補正する補正ユニット１０３、第１サブフレーム映像信号ＦＳＩＰＳ１と第２サブフレーム映像信号ＦＳＩＳＰ２とを電子信号形態に変換してデータドライバに選択的に出力する信号逆変換部１０４を含む。【選択図】図２
2018081305.tif 000002
【特許請求の範囲】
【請求項１】
複数のピクセルを含む表示パネルと、
１つのフレームに対応するフレーム映像信号を受信し、前記フレーム映像信号に基づいて、前記表示パネルを駆動させる第１サブフレーム映像信号と第２サブフレーム映像信号を生成する制御部と、を含み、
前記第１サブフレーム映像信号と第２サブフレーム映像信号は、各々が前記１つのフレームから分割されたサブフレームに対応し、
前記制御部は、
前記フレーム映像信号に高周波成分を増加させた高周波映像信号と前記フレーム映像信号から高周波成分を減少させた低周波映像信号とを出力するフィルター部と、
前記高周波映像信号の中で階調値が最大許容階調値以上である一部の高周波映像信号から超過信号を生成する超過信号生成部と、
前記超過信号及び前記高周波映像信号に基づいた前記第１サブフレーム映像信号と前記超過信号及び前記低周波映像信号とに基づいた前記第２サブフレーム映像信号を選択的に出力する信号出力部と、を含む表示装置。
【請求項２】
前記超過信号の階調値は、前記一部の高周波映像信号の階調値から前記最大許容階調値を減算した階調値である請求項１に記載の表示装置。
【請求項３】
前記超過信号生成部は、前記一部の高周波映像信号の階調値の中で最大値が前記最大許容階調値と同一になるように前記高周波映像信号に変換常数を乗算して高周波中間信号を生成し、
前記超過信号は、前記高周波映像信号から前記高周波中間信号を減算した信号である請求項１に記載の表示装置。
【請求項４】
前記制御部は、
前記高周波映像信号から前記超過信号を減算した高周波中間信号を生成する減算部と、
前記低周波映像信号に前記超過信号を加算した低周波中間信号を生成する加算部と、をさらに含み、
前記信号出力部は、前記高周波中間信号に基づいて前記第１サブフレーム映像信号を出力し、前記低周波中間信号に基づいて前記第２サブフレーム映像信号を出力する請求項１に記載の表示装置。
【請求項５】
前記制御部は、
前記高周波中間信号と前記低周波中間信号とに基づいて前記フレーム映像信号のコントラスト（ｃｏｎｔｒａｓｔ）を算出するコントラスト算出部と、
前記高周波中間信号の平坦度を算出する平坦度算出部と、をさらに含み、
前記信号出力部は、平坦度に対応する臨界コントラストを格納する臨界ルックアップテーブル、補正信号生成手段及び出力手段を含み、
前記補正信号生成手段は、前記臨界ルックアップテーブルに格納される前記高周波中間信号の前記平坦度に対応する臨界コントラストより前記フレーム映像信号の前記コントラストが大きい場合、前記超過信号及び前記高周波中間信号の前記平坦度に対応する前記臨界コントラストに基づいて補正信号を生成し、
前記出力手段は、前記高周波映像信号から前記超過信号と前記補正信号とを減算して前記第１サブフレーム映像信号を出力し、前記低周波映像信号に前記超過信号と前記補正信号とを加算して前記第２サブフレーム映像信号を出力する請求項４に記載の表示装置。
【請求項６】
前記補正信号生成手段は、数式（１）によって前記補正信号を生成し、
【数１】
2018081305.tif 000009
・・・（１）
前記βは、前記補正信号であり、前記Ｈは、前記高周波映像信号であり、前記Ｌは、前記低周波映像信号であり、前記Ｃｌｉｍは、前記高周波中間信号の前記平坦度に対応する前記臨界コントラストであり、前記αは、前記超過信号である請求項５に記載の表示装置。
【請求項７】
前記コントラスト算出部は、数式（２）によって前記フレーム映像信号の前記コントラストを算出し、
【数２】
2018081305.tif 000010
・・・（２）
前記Ｃは、前記フレーム映像信号の前記コントラストであり、前記Ｈは、前記高周波映像信号であり、前記Ｌは、前記低周波映像信号であり、前記αは、前記超過信号である請求項５に記載の表示装置。
【請求項８】
前記高周波中間信号の前記平坦度は、前記複数のピクセルの中で前記高周波中間信号で階調値が所定の基準値以下であるピクセルの数である請求項５に記載の表示装置。
【請求項９】
前記制御部は、
前記高周波映像信号から前記超過信号を減算した高周波中間信号を生成する減算部と、
前記低周波映像信号に前記超過信号を加算した低周波中間信号を生成する加算部と、
前記高周波中間信号と前記低周波中間信号とに基づいて前記フレーム映像信号のコントラスト（ｃｏｎｔｒａｓｔ）を算出するコントラスト算出部と、
前記高周波中間信号の平坦度を算出する平坦度算出部と、をさらに含み、
前記信号出力部は、平坦度に対応する臨界コントラストを格納する臨界ルックアップテーブル、補正信号生成手段、フィルター手段及び出力手段を含み、
前記補正信号生成手段は、前記臨界ルックアップテーブルに格納される前記高周波中間信号の前記平坦度に対応する臨界コントラストより前記フレーム映像信号の前記コントラストが大きい場合、前記超過信号及び前記高周波中間信号の前記平坦度に対応する前記臨界コントラストに基づいて補正信号を生成し、
前記フィルター手段は、前記超過信号と前記補正信号を加算した信号を低域通過フィルタリング（ｌｏｗｐａｓｓ  ｆｉｌｔｅｒｉｎｇ）させたフィルタリング信号を出力し、
前記出力手段は、前記高周波映像信号から前記フィルタリング信号を減算して前記第１サブフレーム映像信号を出力し、前記低周波映像信号に前記フィルタリング信号を加算して前記第２サブフレーム映像信号を出力する請求項１に記載の表示装置。
【請求項１０】
１つのフレームに対応するフレーム映像信号を受信する段階と、
前記フレーム映像信号に基づいて、複数のピクセルを含む表示パネルを駆動させる第１サブフレーム映像信号と第２サブフレーム映像信号を生成する段階と、を含み、
前記第１サブフレーム映像信号と第２サブフレーム映像信号は、各々が前記１つのフレームから分割されたサブフレームに対応し、
前記第１サブフレーム映像信号と前記第２サブフレーム映像信号とを生成する段階は、
前記フレーム映像信号に高周波成分を増加させた高周波映像信号を出力する段階と、
前記フレーム映像信号から高周波成分を減少させた低周波映像信号を出力する段階と、
前記高周波映像信号の中で階調値が最大許容階調値以上である一部の高周波映像信号から超過信号を生成する段階と、
前記超過信号及び前記高周波映像信号に基づいて前記第１サブフレーム映像信号を出力する段階と、
前記超過信号及び前記低周波映像信号に基づいて前記第２サブフレーム映像信号を出力する段階と、を含む表示装置の駆動方法。
【発明の詳細な説明】
【技術分野】
【０００１】
本発明は表示装置及びその駆動方法に係る発明で、さらに具体的には、フリッカ現象等を改善させた表示装置及びその駆動方法に係る発明である。
【背景技術】
【０００２】
デジタル映像信号（以下、単なる‘映像信号’と称する）が示す映像には、圧縮時に量子化等の影響によってフレーム間ノイズ（ｉｎｔｅｒ−ｆｒａｍｅ  ｎｏｉｓｅ）が存在することがある。これに対しては、当該ノイズを低減する技術が開発されている。
【０００３】
具体的には、映像信号から算出される平坦度に基づいてノイズを低減する技術である。このように、平坦度を考慮して、ノイズを低減すれば、撮像ディバイスによる撮像に起因する撮像ノイズやアナログ伝送ノイズ等のノイズを低減することができる。しかし、このような場合、映像に動きがある領域まで処理が行われてしまい、残像が発生する恐れがある。
【０００４】
また、動きの適応処理によって停止領域に対してノイズ低減処理を実施する技術もある。この場合、無限インパルス応答フィルター（Ｉｎｆｉｎｉｔｅ  Ｉｍｐｕｌｓｅ  Ｒｅｓｐｏｎｓｅ  ｆｉｌｔｅｒ）の帰還係数を固定してノイズの低減処理を遂行した後、入力される入力映像（現フレームの映像）と出力される出力映像との差分が大きくならないように制御することによって、動きの適応処理を実現する。しかし、このような処理技術によれば、映像に鮮やかなエッジ（ｅｄｇｅ）やテクスチャー（ｔｅｘｔｕｒｅ）が存在する領域ではより大きい振幅のフレーム間ノイズが発生することができる。
【先行技術文献】
【特許文献】
【０００５】
【特許文献１】米国特許第８，７４９，７０８号明細書
【特許文献２】米国特許第５，８２８，３６６号明細書
【特許文献３】特開第２０１６−０８０９５０号公報
【発明の概要】
【発明が解決しようとする課題】
【０００６】
本発明の目的はフリッカ現象等を改善した表示装置及びその駆動方法を提供することにある。
【課題を解決するための手段】
【０００７】
本発明の一実施形態に係る表示装置は、複数のピクセルを含む表示パネル、１つのフレームに対応するフレーム映像信号を受信し、前記フレーム映像信号に基づいて、前記表示パネルを駆動させる第１サブフレーム映像信号と第２サブフレーム映像信号とを生成する制御部を含み、前記第１サブフレーム映像信号と第２サブフレーム映像信号は、各々が前記１つのフレームから分割されたサブフレームに対応し、前記制御部は前記フレーム映像信号に高周波成分を増加させた高周波映像信号と前記フレーム映像信号から高周波成分を減少させた低周波映像信号とを出力するフィルター部、前記高周波映像信号の中で階調値が最大許容階調値以上である一部の高周波映像信号から超過信号を生成する超過信号生成部、及び前記超過信号及び前記高周波映像信号に基づいた前記第１サブフレーム映像信号と前記超過信号及び前記低周波映像信号に基づいた前記第２サブフレーム映像信号とを選択的に出力する信号出力部を含む。
【０００８】
前記超過信号の階調値は前記一部の高周波映像信号の階調値から前記最大許容階調値を減算した階調値である。
【０００９】
本発明の他の一実施形態に係る表示装置で前記超過信号生成部は前記一部の高周波映像信号の階調値の中で最大値が前記最大許容階調値と同一になるように前記高周波映像信号に変換常数を乗算して高周波中間信号を生成し、前記超過信号は前記高周波映像信号から前記高周波中間信号を減算した信号である。
【００１０】
本発明の一実施形態に係る表示装置において、前記制御部は前記高周波映像信号から前記超過信号を減算した高周波中間信号を生成する減算部及び前記低周波映像信号に前記超過信号を加算した低周波中間信号を生成する加算部をさらに含み、前記信号出力部は前記高周波中間信号に基づいて前記第１サブフレーム映像信号を出力し、前記低周波中間信号に基づいて前記第２サブフレーム映像信号を出力する。
【００１１】
前記制御部は前記高周波中間信号と前記低周波中間信号とに基づいて前記フレーム映像信号のコントラスト（ｃｏｎｔｒａｓｔ）を算出するコントラスト算出部、及び前記高周波中間信号の平坦度を算出する平坦度算出部をさらに含み、前記信号出力部は平坦度に対応する臨界コントラストを格納する臨界ルックアップテーブル、補正信号生成手段、及び出力手段を含み、前記補正信号生成手段は前記臨界ルックアップテーブルに格納差有れる前記高周波中間信号の前記平坦度に対応する臨界コントラストより前記フレーム映像信号の前記コントラストが大きい場合、前記超過信号及び前記高周波中間信号の前記平坦度に対応する前記臨界コントラストに基づいて補正信号を生成し、前記出力手段は前記高周波映像信号から前記超過信号と前記補正信号を差分して前記第１サブフレーム映像信号を出力し、前記低周波映像信号で前記超過信号と前記補正信号とを加算して前記第２サブフレーム映像信号を出力する。
【００１２】
前記補正信号生成手段は数式（１）によって前記補正信号を生成する。
【００１３】
【数１】
2018081305.tif 000003
・・・（１）
【００１４】
前記βは前記補正信号であり、前記Ｈは前記高周波映像信号であり、前記Ｌは前記低周波映像信号であり、前記Ｃｌｉｍは前記高周波中間信号の前記平坦度に対応する前記臨界コントラストであり、前記αは前記超過信号である。
【００１５】
前記コントラスト算出部は数式（２）によって前記フレーム映像信号の前記コントラストを算出する。
【００１６】
【数２】
2018081305.tif 000004
・・・（２）
【００１７】
前記Ｃは前記フレーム映像信号の前記コントラストであり、前記Ｈは前記高周波映像信号であり、前記Ｌは前記低周波映像信号であり、前記αは前記超過信号である。
【００１８】
前記高周波中間信号の前記平坦度は前記複数のピクセルの中で前記高周波中間信号で階調値が所定の基準値以下であるピクセルの数である。
【００１９】
前記制御部は前記高周波映像信号から前記超過信号を減算した高周波中間信号を生成する減算部、前記低周波映像信号に前記超過信号を加算した低周波中間信号を生成する加算部、前記高周波中間信号と前記低周波中間信号とに基づいて前記フレーム映像信号のコントラスト（ｃｏｎｔｒａｓｔ）を算出するコントラスト算出部、及び前記高周波中間信号の平坦度を算出する平坦度算出部をさらに含み、前記信号出力部は平坦度に対応する臨界コントラストを格納する臨界ルックアップテーブル、補正信号生成手段、フィルター手段、及び出力手段を含み、前記補正信号生成手段は前記臨界ルックアップテーブルに格納される前記高周波中間信号の前記平坦度に対応する臨界コントラストより前記フレーム映像信号の前記コントラストが大きい場合、前記超過信号及び前記高周波中間信号の前記平坦度に対応する前記臨界コントラストに基づいて補正信号を生成し、前記フィルター手段は前記超過信号と前記補正信号とを加算した信号を低域通過フィルタリング（ｌｏｗ  ｐａｓｓ  ｆｉｌｔｅｒｉｎｇ）させたフィルタリング信号を出力し、前記出力手段は前記高周波映像信号から前記フィルタリング信号を減算して前記第１サブフレーム映像信号を出力し、前記低周波映像信号に前記フィルタリング信号を加算して前記第２サブフレーム映像信号を出力する。
【００２０】
本発明の一実施形態に係る表示装置の駆動方法は１つのフレームに対応する映像信号を受信する段階及び前記フレーム映像信号に基づいて、複数のピクセルを含む表示パネルを駆動させる第１サブフレーム映像信号と第２サブフレーム映像信号とを生成する段階を含み、前記第１サブフレーム映像信号と第２サブフレーム映像信号は、各々が前記１つのフレームから分割されたサブフレームに対応し、前記第１サブフレーム映像信号と前記第２サブフレーム映像信号とを生成する段階は、前記フレーム映像信号に高周波成分を増加させた高周波映像信号を出力する段階、前記フレーム映像信号から高周波成分を減少させた低周波映像信号を出力する段階、前記高周波映像信号の中で階調値が最大許容階調値以上である一部の高周波映像信号から超過信号を生成する段階、前記超過信号及び前記高周波映像信号に基づいて前記第１サブフレーム映像信号を出力する段階、及び前記超過信号及び前記低周波映像信号に基づいて前記第２サブフレーム映像信号を出力する段階を含む。
【００２１】
前記超過信号の階調値は前記一部の高周波映像信号の階調値から前記最大許容階調値を減算した階調値である。
【００２２】
本発明の一実施形態に係る表示装置の駆動方法において、前記第１サブフレーム映像信号と前記第２サブフレーム映像信号とを生成する段階は、前記一部の高周波映像信号の階調値の中で最大値が前記最大許容階調値と同一になるように前記高周波映像信号に変換常数を乗算して高周波中間信号を生成する段階をさらに含み、前記超過信号は前記高周波映像信号から前記高周波中間信号を減算した信号である。
【００２３】
前記第１サブフレーム映像信号と前記第２サブフレーム映像信号とを生成する段階は、前記高周波映像信号から前記超過信号を減算した高周波中間信号を生成する段階及び前記低周波映像信号に前記超過信号を加算した低周波中間信号を生成する段階をさらに含み、前記超過信号及び前記高周波映像信号に基づいて前記第１サブフレーム映像信号を出力する段階で前記第１サブフレーム映像信号は前記高周波中間信号に基づいて出力され、前記超過信号及び前記低周波映像信号に基づいて前記第２サブフレーム映像信号を出力する段階で前記第２サブフレーム映像信号は前記低周波中間信号に基づいて出力される。
【００２４】
前記第１サブフレーム映像信号と前記第２サブフレーム映像信号とを生成する段階は前記高周波中間信号と前記低周波中間信号とに基づいて前記フレーム映像信号のコントラスト（ｃｏｎｔｒａｓｔ）を算出する段階、前記高周波中間信号の平坦度を算出する段階、及び平坦度に対応する臨界コントラストを格納する臨界ルックアップテーブルに格納される前記高周波中間信号の前記平坦度に対応する臨界コントラストより前記フレーム映像信号の前記コントラストが大きい場合、前記超過信号及び前記高周波中間信号の前記平坦度に対応する前記臨界コントラストに基づいて補正信号を生成する段階をさらに含み、前記超過信号及び前記高周波映像信号に基づいて前記第１サブフレーム映像信号を出力する段階で前記高周波映像信号から前記超過信号と前記補正信号とを減算して前記第１サブフレーム映像信号を出力し、前記超過信号及び前記低周波映像信号に基づいて前記第２サブフレーム映像信号を出力する段階で前記低周波映像信号に前記超過信号と前記補正信号とを加算して前記第２サブフレーム映像信号を出力する。
【００２５】
前記補正信号を生成する段階で、前記補正信号は数式（１）によって生成される。
【００２６】
【数３】
2018081305.tif 000005
・・・（１）
【００２７】
前記βは前記補正信号であり、前記Ｈは前記高周波映像信号であり、前記Ｌは前記低周波映像信号であり、前記Ｃｌｉｍは前記高周波中間信号の前記平坦度に対応する前記臨界コントラストであり、前記αは前記超過信号である。
【００２８】
前記フレーム映像信号のコントラスト（ｃｏｎｔｒａｓｔ）を算出する段階で、前記フレーム映像信号のコントラストは数式（２）によって算出される。
【００２９】
【数４】
2018081305.tif 000006
・・・（２）
【００３０】
前記Ｃは前記フレーム映像信号の前記コントラストであり、前記Ｈは前記高周波映像信号であり、前記Ｌは前記低周波映像信号であり、前記αは前記超過信号である。
【００３１】
前記高周波中間信号の前記平坦度は前記複数のピクセルの中で前記高周波中間信号で階調値が所定の基準値以下であるピクセルの数である。
【００３２】
前記第１サブフレーム映像信号と前記第２サブフレーム映像信号とを生成する段階は、前記高周波映像信号から前記超過信号を減算した高周波中間信号を生成する段階、前記低周波映像信号に前記超過信号を加算した低周波中間信号を生成する段階、前記高周波中間信号と前記低周波中間信号とに基づいて前記フレーム映像信号のコントラスト（ｃｏｎｔｒａｓｔ）を算出する段階、前記高周波中間信号の平坦度を算出する段階、平坦度に対応する臨界コントラストを格納する臨界ルックアップテーブルに格納される前記高周波中間信号の前記平坦度に対応する臨界コントラストより前記フレーム映像信号の前記コントラストが大きい場合、前記超過信号及び前記高周波中間信号の前記平坦度に対応する前記臨界コントラストに基づいて補正信号を生成する段階、及び前記超過信号と前記補正信号とを算算した信号を低域通過フィルタリング（ｌｏｗ  ｐａｓｓ  ｆｉｌｔｅｒｉｎｇ）してフィルタリング信号を出力する段階をさらに含み、前記超過信号及び前記高周波映像信号に基づいて前記第１サブフレーム映像信号を出力する段階で前記高周波映像信号から前記フィルタリング信号を減算して前記第１サブフレーム映像信号を出力し、前記超過信号及び前記低周波映像信号に基づいて前記第２サブフレーム映像信号を出力する段階で前記低周波映像信号に前記フィルタリング信号を加算して前記第２サブフレーム映像信号を出力する。
【００３３】
本発明の他の一実施形態に係る表示装置の駆動方法は、１つのフレームに対応する映像信号を受信する段階及び前記フレーム映像信号に基づいて、複数のピクセルを含む表示パネルを駆動させる第１サブフレーム映像信号と第２サブフレーム映像信号とを生成する段階を含み、前記第１サブフレーム映像信号と第２サブフレーム映像信号は、各々が前記１つのフレームから分割されたサブフレームに対応し、前記第１サブフレーム映像信号と前記第２サブフレーム映像信号とを生成する段階は前記フレーム映像信号に高周波成分を増加させた高周波映像信号を出力する段階、前記フレーム映像信号から高周波成分を減少させた低周波映像信号を出力する段階、前記高周波映像信号と前記低周波映像信号とに基づいて前記フレーム映像信号のコントラスト（ｃｏｎｔｒａｓｔ）を算出する段階、前記高周波映像信号の平坦度を算出する段階、平坦度に対応する臨界コントラストを格納する臨界ルックアップテーブルに格納される前記高周波映像信号の前記平坦度に対応する臨界コントラストより前記フレーム映像信号の前記コントラストが大きい場合、前記超過信号及び前記高周波映像信号の前記平坦度に対応する前記臨界コントラストに基づいて補正信号を生成する段階、前記補正信号及び前記高周波映像信号に基づいて前記第１サブフレーム映像信号を出力する段階、及び前記補正信号及び前記低周波映像信号に基づいて前記第２サブフレーム映像信号を出力する段階を含む。
【００３４】
前記第１サブフレーム映像信号と前記第２サブフレーム映像信号とを生成する段階は、
前記高周波映像信号から前記補正信号を減算した補正差分信号の中で階調値が最大許容階調値以上である一部の補正差分信号から超過信号を生成する段階をさらに含み、前記補正信号及び前記高周波映像信号に基づいて前記第１サブフレーム映像信号を出力する段階で、前記高周波映像信号から前記補正信号と前記超過信号とを減算した第１サブフレーム映像信号を出力し、前記補正信号及び前記低周波映像信号に基づいて前記第２サブフレーム映像信号を出力する段階で前記低周波映像信号に前記補正信号と前記超過信号とを加算した第２サブフレーム映像信号を出力する。
【００３５】
前記第１サブフレーム映像信号と前記第２サブフレーム映像信号とを生成する段階は、前記超過信号と前記補正信号を加算した信号を低域通過フィルタリング（ｌｏｗ  ｐａｓｓ  ｆｉｌｔｅｒｉｎｇ）してフィルタリング信号を出力する段階をさらに含み、前記補正信号及び前記高周波映像信号に基づいて前記第１サブフレーム映像信号を出力する段階で、前記高周波映像信号から前記フィルタリング信号を減算して前記第１サブフレーム映像信号を出力し、前記補正信号及び前記低周波映像信号に基づいて前記第２サブフレーム映像信号を出力する段階で、前記低周波映像信号に前記フィルタリング信号を加算して前記第２サブフレーム映像信号を出力する。
【発明の効果】
【００３６】
本発明で表示装置はフレーム映像信号の周波数を倍速化し、１つのフレームの空間周波数を高周波成分及び低周波成分に分配してモーションブラーを改善する。これに伴ってクリップ現象及びフリッカ（ｆｌｉｃｋｅｒ）現象が発生するが、超過信号から高周波中間信号及び低周波中間信号を生成することによって、クリップ現象を除去することができ、補正信号から第１サブフレーム映像信号及び第２サブフレーム映像信号を生成することによってフリッカ現象を除去することができる。
【図面の簡単な説明】
【００３７】
【図１】本発明の一実施形態に係る表示装置の概略的なブロック図である。
【図２】本発明の一実施形態に係る制御部のブロック図である。
【図３Ａ】本発明の一実施形態に係る補正ユニットのブロック図である。
【図３Ｂ】本発明の一実施形態に係る信号出力部のブロック図である。
【図４Ａ】本発明の一実施形態に係る超過信号を説明するためのグラフである。
【図４Ｂ】本発明の一実施形態に係る低周波中間信号を説明するためのグラフである。
【図４Ｃ】本発明の一実施形態に係る高周波中間信号を説明するためのグラフである。
【図５Ａ】本発明の他の実施形態に係る超過信号及び高周波中間信号を説明するための図である。
【図５Ｂ】本発明の他の実施形態に他の低周波中間信号を説明するための図である。
【図６】本発明の他の一実施形態に係る信号出力部のブロック図である。
【図７Ａ】本発明の他の一実施形態に係る補正ユニットのブロック図である。
【図７Ｂ】本発明の他の一実施形態に係る信号出力部のブロック図である。
【図８】本発明の他の一実施形態に係る補正ユニットのブロック図である。
【図９】本発明の一実施形態に係る表示装置の駆動方法についてのフロー図である。
【図１０】本発明の一実施形態に係る第１及び第２サブフレーム映像信号の出力段階を説明するフロー図である。
【図１１】本発明の他の実施形態に係る第１及び第２サブフレーム映像信号の出力段階を説明するフロー図である。
【発明を実施するための形態】
【００３８】
本発明は多様な変更を加えることができ、様々な形態を有することができるが、ここでは、特定の実施形態を図面に例示し、本文で詳細に説明する。しかし、このことは本発明を特定の開示形態について限定しようとすることを意味するのではなく、本発明の思想及び技術範囲に含まれるすべての変更、均等物乃至代替物を含むこととして理解されるべきである。
【００３９】
各図面を説明する際には、類似な参照符号を類似な構成要素に対して使用した。図面における構造物の寸法は本発明を理解しやすくするために実際の寸法よりも拡大して図示したものである。「第１」、「第２」等の用語は多様な構成要素を説明するために使用されるが、これらの構成要素は「第１」、「第２」等の用語によって限定されてはならない。用語は１つの構成要素を他の構成要素から区別する目的のみに使用される。例えば、本発明の権利範囲を逸脱しなく、第１構成要素は第２構成要素と称され、同様に第２構成要素も第１構成要素と称されることができる。単数の表現は、明確に単数であることを表現しない限り、複数の場合をも含むものとする。
【００４０】
本出願で、“含む”等の用語は明細書上に記載された特徴、数字、段階、動作、構成要素、部品、又はこれらを組み合わせたものが存在することを表現しようするものであり、１つ又はその以上の他の特徴や数字、段階、動作、構成要素、部分品、又はこれらを組合したものの存在又は付加可能性を予め排除しないものとして理解されるべきである。また、層、膜、領域、板等の部分が他の部分“上に”又は“うえに”にあるとする場合、これは他の部分“すぐ上に”ある場合のみならず、その中間にその他の部分がある場合も含む。反対に、層、膜、領域、板等の部分が他の部分の“下部に”あるとする場合、これは、他の部分の“直ちに下に”ある場合のみでなく、その中間にその他の部分がある場合も含む。
【００４１】
以下、添付した図面を参照して本発明の望ましい実施形態をより詳細に説明する。図１は本発明の一実施形態に係る表示装置１０００の概略的なブロック図である。
【００４２】
図１を参照すれば、本発明の一実施形態に係る表示装置１０００は映像を表示する表示パネル４００、表示パネル４００を駆動するゲートドライバー２００、及びデータドライバー３００、ゲートドライバー２００とデータドライバー３００との駆動を制御する制御部１００を含む。
【００４３】
制御部１００は表示装置１０００の外部からフレーム映像信号ＦＩＰＳ及び複数の制御信号ＣＳを受信する。制御部１００はデータドライバー３００のインターフェイス仕様に合うようにフレーム映像信号ＦＩＰＳのデータフォーマットを変換して後述する第１サブフレーム映像信号ＦＳＩＰＳ１及び第２サブフレーム映像信号ＦＳＩＰＳ２を生成し、第１サブフレーム映像信号ＦＳＩＰＳ１及び第２サブフレーム映像信号ＦＳＩＰＳ２をデータドライバー３００に提供する。
【００４４】
また、制御部１００は複数の制御信号ＣＳに基づいてデータ制御信号ＤＣＳ（例えば、出力開始信号、水平開始信号等）及びゲート制御信号ＧＣＳ（例えば、垂直開始信号、垂直クロック信号、及び垂直クロックバー信号）を生成する。データ制御信号ＤＣＳはデータドライバー３００に提供され、ゲート制御信号ＧＣＳはゲートドライバー２００に提供される。
【００４５】
ゲートドライバー２００は制御部１００から提供されるゲート制御信号ＧＣＳに応答してゲート信号を順次出力する。
【００４６】
データドライバー３００は制御部１００から提供されるデータ制御信号ＤＣＳに応答して第１サブフレーム映像信号ＦＳＩＰＳ１及び第２サブフレーム映像信号ＦＳＩＰＳ２をデータ電圧に変換して出力する。出力されたデータ電圧は表示パネル４００に印加される。
【００４７】
表示パネル４００は複数のゲートラインＧＬ１〜ＧＬｎ、複数のデータラインＤＬ１〜ＤＬｍ、複数のピクセルＰＸを含む。説明の簡易のために図１には１つのピクセルＰＸが図示されているが、実際には、複数のピクセルＰＸがマトリックス状に配列されることができる。
【００４８】
ピクセルＰＸの各々はレッド、グリーン、及びブルーの中で互いに異なる主要カラーを表示することができる。但し、これに限定されなく、ピクセルＰＸは多様な色相のカラーを表示することができる。
【００４９】
複数のゲートラインＧＬ１〜ＧＬｎは第２方向ＤＲ２に延長され、第２方向ＤＲ２と垂直になる第１方向ＤＲ１に互いに平行に配列される。複数のゲートラインＧＬ１〜ＧＬｎはゲートドライバー２００と連結されて、ゲートドライバー２００からゲート信号を受信する。
【００５０】
複数のデータラインＤＬ１〜ＤＬｍは第１方向ＤＲ１に延長され、第２方向ＤＲ２に互いに並行に配列される。複数のデータラインＤＬ１〜ＤＬｍはデータドライバー３００と連結されてデータドライバー３００からデータ電圧を受信する。
【００５１】
ピクセルＰＸの各々は複数のゲートラインＧＬ１〜ＧＬｎの中で対応するゲートライン及び複数のデータラインＤＬ１〜ＤＬｍの中で対応するデータラインと連結されて駆動される。
【００５２】
図２は本発明の一実施形態に係る制御部１００のブロック図である。図３Ａは本発明の一実施形態に係る補正ユニット１０３のブロック図である。図３Ｂは本発明の一実施形態に係る信号出力部１２４のブロック図である。図４Ａは本発明の一実施形態に係る超過信号ＯＳを説明するためのグラフである。図４Ｂは本発明の一実施形態に係る低周波中間信号ＬＭＳを説明するためのグラフである。図４Ｃは本発明の一実施形態に係る高周波中間信号ＨＭＳを説明するためのグラフである。図５Ａは本発明の他の実施形態に係る超過信号ＯＳ及び高周波中間信号ＨＭＳを説明するための図である。図５Ｂは本発明の他の実施形態に他の低周波中間信号ＬＭＳを説明するための図である。
【００５３】
図２を参照すれば、制御部１００は信号変換部１０１、フィルター部１０２、補正ユニット１０３及び信号逆変換部１０４を含む。信号変換部１０１は外部から受信したフレーム映像信号ＦＩＰＳをガンマ変換する。即ち、信号変換部１０１はフレーム映像信号ＦＩＰＳを電子信号の形態から輝度データを含む輝度信号の形態に変換する。
【００５４】
図２では図示していないが、制御部１００はフレームレートコンバーター（図示せず）を含む。フレームコンバーターはフレーム映像信号ＦＩＰＳのフレーム周波数を高くする。その結果、１つのフレームが分割されて複数のサブフレームが生成される。そして、複数のサブフレームの各々に対応して、第１サブフレーム映像信号ＦＳＩＰＳ１と第２サブフレーム映像信号ＦＳＩＰＳ２とが生成される。但し、これに限定されることではなく、複数のサブフレームは３つ以上のサブフレームを含み、これに対応して、第１サブフレーム映像信号ＦＳＩＰＳ１及び第２サブフレーム映像信号ＦＳＩＰＳ２以外のサブフレーム映像信号も生成されることができるのは勿論である。本明細書には例示的に制御部１００が第１サブフレーム映像信号ＦＳＩＰＳ１と第２サブフレーム映像信号ＦＳＩＰＳ２とを出力する場合について説明する。
【００５５】
フィルター部１０２はフィルター１１１、減算器１１２及び加算器１１３を含む。フィルター１１１はフレーム映像信号ＦＩＰＳを受信する。フィルター１１１は低域通過フィルター（ｌｏｗ  ｐａｓｓ  ｆｉｌｔｅｒ：ＬＰＦ）を含む。本発明の一例としてフィルター１１１はフレーム映像信号ＦＩＰＳを受信してフレーム映像信号ＦＩＰＳの高周波成分を減少し、低周波映像信号ＬＩＳを出力することができる。
【００５６】
低周波映像信号ＬＩＳ及びフレーム映像信号ＦＩＰＳは減算器１１２に入力される。減算器１１２はフレーム映像信号ＦＩＰＳから低周波映像信号ＬＩＳを減算した差分信号ＭＳを加算器１１３に出力する。
【００５７】
加算器１１３はフレーム映像信号ＦＩＰＳと差分信号ＭＳとを受信する。加算器１１３はフレーム映像信号ＦＩＰＳと差分信号ＭＳとを加算して高周波映像信号ＨＩＳを出力する。
【００５８】
補正ユニット１０３は低周波映像信号ＬＩＳ及び高周波映像信号ＨＩＳを受信する。補正ユニット１０３は低周波映像信号ＬＩＳ及び高周波映像信号ＨＩＳを各々補正して第１サブフレーム映像信号ＦＳＩＰＳ１及び第２サブフレーム映像信号ＦＳＩＰＳ２を信号逆変換部１０４に選択的に出力する。
【００５９】
信号逆変換部１０４は第１サブフレーム映像信号ＦＳＩＰＳ１及び第２サブフレーム映像信号ＦＳＩＰＳ２を電子信号形態に変換してデータドライバー３００（図１に図示される）に選択的に出力する。
【００６０】
以下、補正ユニット１０３について詳細に説明する。
【００６１】
図３Ａを参照すれば、補正ユニット１０３は超過信号生成部１２１、減算部１２５、加算部１２６、コントラスト算出部１２２、平坦度算出部１２３及び信号出力部１２４を含む。
【００６２】
超過信号生成部１２１は高周波映像信号ＨＩＳを受信する。超過信号生成部１２１は高周波映像信号ＨＩＳの中で階調値が最大許容階調値以上である一部の高周波映像信号ＨＩＳから超過信号ＯＳを生成する。以下、超過信号ＯＳについて図４Ａを用いて説明する。
【００６３】
図４Ａに図示されたグラフにおいて、Ｘ軸はピクセルの各々を示し、Ｙ軸は映像信号の階調値を示す。Ｘ軸及びＹ軸が何を示すかは図４Ｂ及び図４Ｃはもちろん後述する図５Ａ及び図５Ｂのグラフにおいても同様である。
【００６４】
高周波映像信号ＨＩＳの階調値の一部は最大許容階調値を超過する。例えば、映像信号が表示できる最大許容階調値は２５５階調である。この時、高周波映像信号ＨＩＳの階調値の一部分は図４Ａに示すように２５５階調を超過する。２５５階調を超過する高周波映像信号ＨＩＳの階調値の一部分はピクセルの中で一部に対応する。超過信号ＯＳの階調値は高周波映像信号ＨＩＳの中で最大許容階調値を超過する部分から最大許容階調値を減算した階調値である。その結果、超過信号生成部１２１は高周波映像信号ＨＩＳで２５５階調を超過する部分についての新しい信号である超過信号ＯＳを生成する。超過信号ＯＳは図４Ｂの斜線部分に該当する信号である。
【００６５】
加算部１２６は低周波映像信号ＬＩＳと超過信号ＯＳを加算して低周波中間信号ＬＭＳを生成する。図４Ｂに示すように低周波中間信号ＬＭＳは実線である低周波映像信号ＬＩＳに超過信号ＯＳを加算した信号である。
【００６６】
減算部１２５は高周波映像信号ＨＩＳから超過信号ＯＳを減算して高周波中間信号ＨＭＳを生成する。図４Ｃに示すように高周波中間信号ＨＭＳは高周波映像信号ＨＩＳから最大許容階調値を超過した部分が除去された信号である。
【００６７】
超過信号ＯＳは前述した内容に限定されない。超過信号ＯＳは多様な方法に生成すことができる。例えば、図５Ａに示すように高周波映像信号ＨＩＳで２５５階調を超過する部分で最大値を有する階調値が許容階調値（この例では、２５５階調）と同一になるように高周波映像信号ＨＩＳに変換常数Ｌを乗算して高周波中間信号ＨＭＳ’を生成することもできる。この時、超過信号ＯＳ’は高周波映像信号ＨＩＳから高周波中間信号ＨＭＳ’を減算した信号であり、低周波中間信号ＬＭＳ’は低周波映像信号ＬＩＳに超過信号ＯＳ’を加算した信号である。
【００６８】
以下で説明する内容は図４Ａ乃至図４Ｃで説明した超過信号ＯＳについてであるが、図５Ａ乃至図５Ｂで説明した超過信号ＯＳについても適用することができるのは勿論である。
【００６９】
再び図３Ａに戻って説明する。コントラスト算出部１２２は高周波中間信号ＨＭＳ及び低周波中間信号ＬＭＳを受信する。コントラスト算出部１２２は高周波中間信号ＨＭＳと低周波中間信号ＬＭＳとに基づいてフレーム映像信号ＦＩＰＳのコントラスト（ｃｏｎｔｒａｓｔ、ＣＴＲ）を算出して信号出力部１２４に出力する。本発明の一例として、フレーム映像信号ＦＩＰＳのコントラストＣＴＲは次のようにコントラストＣＴＲ算出式によって算出することができる。
【数５】
2018081305.tif 000007
コントラストＣＴＲ算出式：
【００７０】
平坦度算出部１２３は高周波中間信号ＨＭＳの平坦度ＦＬＮを算出して信号出力部１２４に出力する。本明細書で高周波中間信号ＨＭＳの平坦度ＦＬＮというのはピクセルＰＸ（図１に図示される）中高周波中間信号ＨＭＳで階調値が所定の基準値以下であるピクセルの数として定義することができる。基準値の場合には任意に定めることができる。例えば、高周波中間信号ＨＭＳの平坦度ＦＬＮは高周波中間信号ＨＭＳをラプラシアンフィルター（ｌａｐｌａｃｉａｎ  ｆｉｌｔｅｒ）を通過させて出た結果値に基づいて決定することができる。
【００７１】
図３Ａでは平坦度算出部１２３が高周波中間信号ＨＭＳを受信して高周波中間信号ＨＭＳの平坦度ＦＬＮを算出する例を図示したが、これに限定されるものではなく、平坦度算出部１２３は高周波映像信号ＨＩＳを受信して高周波映像信号ＨＩＳの平坦度ＦＬＮを算出して信号出力部１２４に出力することもできる。
【００７２】
図３Ｂを参照すれば、信号出力部１２４は臨界ルックアップテーブル（ＬＵＴ）１３１、補正信号生成手段１３２及び出力手段１３３を含む。
【００７３】
臨界ルックアップテーブル１３１には平坦度に対応する臨界コントラストが格納される。臨界コントラストは表示装置１０００が表示する所定の映像を視聴する視聴者の中に表示される映像でフリッカ（ｆｌｉｃｋｅｒ）現象を感じる視聴者の数から導出される。所定の映像の平坦度とコントラストとは変化させることができ、その時毎にフリッカ現象を感じる視聴者の数は変わることがある。前記変化を通じて、平坦度にしたがってすべての視聴者がフリッカ現象を感じないコントラストの臨界値を導出することができる。これに基づいて、臨界ルックアップテーブル１３１には平坦度に対応する臨界コントラストが格納される。
【００７４】
補正信号生成手段１３２は高周波映像信号ＨＩＳ、低周波映像信号ＬＩＳ、フレーム映像信号ＦＩＰＳのコントラストＣＴＲ、高周波中間信号ＨＭＳの平坦度ＦＬＮ及び超過信号ＯＳを受信する。補正信号生成手段１３２は臨界ルックアップテーブル１３１を参照して、高周波中間信号ＨＭＳの平坦度ＦＬＮに対応する臨界コントラストよりフレーム映像信号ＦＩＰＳのコントラストＣＴＲが大きい場合（即ち、フリッカ現象を感じる視聴者が存在する場合）に、超過信号ＯＳ及び高周波中間信号ＨＭＳの平坦度ＦＬＮに対応する臨界コントラストＣｌｉｍに基づいて補正信号ＡＭＳを生成する。例えば、補正信号生成手段１３２は超過信号ＯＳ、高周波中間信号ＨＭＳの平坦度ＦＬＮに対応する臨界コントラストＣｌｉｍ、高周波映像信号ＨＩＳ、及び低周波映像信号ＬＩＳに基づいて、補正信号ＡＭＳを生成する。本発明の一例として補正信号ＡＭＳは下記のような補正信号算出式によって生成される。
【数６】
2018081305.tif 000008
補正信号算出式：
【００７５】
補正信号算出式におけるＣｌｉｍは高周波中間信号ＨＭＳの平坦度ＦＬＮに対応する臨界コントラストである。
【００７６】
出力手段１３３は高周波映像信号ＨＩＳ、低周波映像信号ＬＩＳ、超過信号ＯＳ及び補正信号ＡＭＳを受信する。出力手段１３３は、高周波映像信号ＨＩＳから超過信号ＯＳ及び補正信号ＡＭＳを減算して第１サブフレーム映像信号ＦＳＩＰＳ１を算出した上で、当該第１サブフレーム映像信号ＦＳＩＰＳ１を信号逆変換部１０４（図２に図示される）に出力し、又は、低周波映像信号ＬＩＳに超過信号ＯＳ及び補正信号ＡＭＳを加算して第２サブフレーム映像信号ＦＳＩＰＳ２を算出した上で、当該第２サブフレーム映像信号ＦＳＩＰＳ２を信号逆変換部１０４に出力する。さらに詳細に説明すれば、出力手段１３３は第１サブフレーム映像信号ＦＳＩＰＳ１と第２サブフレーム映像信号ＦＳＩＰＳ２のうちいずれか一方を選択して信号逆変換部１０４に出力する。本発明の一例として、出力手段１３３は第１サブフレーム映像信号ＦＳＩＰＳ１を複数のサブフレームの中で１つのサブフレームに対応させて信号逆変換部１０４に出力し、第２サブフレーム映像信号ＦＳＩＰＳ２を複数のサブフレームの中で他の１つのサブフレームに対応させて信号逆変換部１０４に出力する。
【００７７】
信号逆変換部１０４については前述したので、省略する。
【００７８】
このようにフレーム映像信号ＦＩＰＳの周波数を倍速化し、１つのフレームの空間周波数を高周波成分及び低周波成分で分配してモーションブラー（ｍｏｔｉｏｎ  ｂｌｕｒｒ）を改善する。これに伴って、クリップ（ｃｌｉｐ）現象及びフリッカ（ｆｌｉｃｋｅｒ）現象が発生するが、超過信号ＯＳから高周波中間信号ＨＭＳ及び低周波中間信号ＬＭＳを生成することによって、クリップ現象を除去することができ、補正信号ＡＭＳから第１サブフレーム映像信号ＦＳＩＰＳ１及び第２サブフレーム映像信号ＦＳＩＰＳ２を生成することによってフリッカ現象を除去することができる。
【００７９】
図６は本発明の他の一実施形態に係る信号出力部１２４’のブロック図である。
【００８０】
図６を参照すれば、信号出力部１２４’は図３Ｂの信号出力部１２４の構成と比較すると、フィルター手段１３４をさらに含む。フィルター手段１３４は超過信号ＯＳ及び補正信号ＡＭＳを受信して加算した上で、加算した信号をフィルタリングする。本発明の一例でフィルター手段１３４は低域通過フィルター（図示せず）を含み、フィルター手段１３４は、低域通過フィルターを通じて、前述の加算された信号を低域通過フィルタリング（ｌｏｗ  ｐａｓｓ  ｆｉｌｔｅｒｉｎｇ）してフィルタリング信号ＦＴＳを生成する。但し、フィルター手段１３４は、低域通過フィルターを含む構成に限定されるものではなく、多様なフィルターを含むことができる。例えば、フィルター手段１３４はディザ（ｄｉｔｈｅｒ）又はゲインリミッタ（ｇａｉｎ  ｌｉｍｉｔｅｒ）を含んでもよい。
【００８１】
出力手段１３３’は補正信号生成手段１３２から高周波映像信号ＨＩＳ及び低周波映像信号ＬＩＳを受信し、フィルター手段１３４からフィルタリング信号ＦＴＳを受信する。出力手段１３３’は高周波映像信号ＨＩＳからフィルタリング信号ＦＴＳを減算して第１サブフレーム映像信号ＦＳＩＰＳ１’を信号逆変換部１０４に出力し、低周波映像信号ＬＩＳにフィルタリング信号ＦＴＳを加算して第２サブフレーム映像信号ＦＳＩＰＳ２’を信号逆変換部１０４に出力する。
【００８２】
このように信号出力部１２４’がフィルター手段１３４をさらに含むことによって、補正信号ＡＭＳから補正される範囲が非常に大きい場合に発生するノイズ発生等の現象を防止することができる。
【００８３】
図７Ａは本発明の他の一実施形態に係る補正ユニット１０３”のブロック図である。図７Ｂは本発明の他の一実施形態に係る信号出力部１２４”のブロック図である。
【００８４】
図７Ａ及び図７Ｂを参照すれば、コントラスト算出部１２２は高周波映像信号ＨＩＳを受信する。コントラスト算出部１２２は高周波映像信号ＨＩＳのコントラストＣＴＲ”を信号出力部１２４”に出力する。
【００８５】
平坦度算出部１２３は高周波映像信号ＨＩＳを受信する。平坦度算出部１２３は高周波映像信号ＨＩＳの平坦度ＦＬＮ”を信号出力部１２４”に出力する。
【００８６】
図７Ｂに示すように、信号出力部１２４”の補正信号生成手段１３２は、高周波映像信号ＨＩＳのコントラストＣＴＲ”、高周波映像信号ＨＩＳの平坦度ＦＬＮ”、高周波映像信号ＨＩＳ及び低周波映像信号ＬＩＳを受信し、これらに基づいて図３Ｂに示した補正信号生成手段１３２と同様の方法によって補正信号ＡＭＳ”を生成する。そして、出力手段１３３は高周波映像信号ＨＩＳから補正信号ＡＭＳ”を減算した補正減算信号ＡＮＳと、低周波映像信号ＬＩＳに補正信号ＡＭＳ”を加算した補正加算信号ＡＳＳを出力する。
【００８７】
超過信号生成部１２１は補正減算信号ＡＮＳを受信し、図３Ａに示した超過信号生成部１２１と同様の方法によって超過信号ＯＳ”を生成する。
【００８８】
減算部１２５’は補正差分信号ＡＮＳと超過信号ＯＳ”とを受信する。減算部１２５’は補正差分信号ＡＮＳから超過信号ＯＳ”を減算して第１サブフレーム映像信号ＦＳＩＰＳ１を出力する。
【００８９】
加算部１２６’は補正加算信号ＡＳＳと超過信号ＯＳ”とを受信する。加算部１２６’は補正加算信号ＡＳＳに超過信号ＯＳ”を加算して第２サブフレーム映像信号ＦＳＩＰＳ２を出力する。
【００９０】
このようにフレーム映像信号ＦＩＰＳの周波数を倍速化し、１つのフレームの空間周波数を高周波成分及び低周波成分で分配してモーションブラー（ｍｏｔｉｏｎ  ｂｌｕｒｒ）を改善する。これに伴ってクリップ（ｃｌｉｐ）現象及びフリッカ（ｆｌｉｃｋｅｒ）現象が発生するが、超過信号ＯＳ”を生成することによってフレーム映像信号ＦＩＰＳのクリップ現象を除去することができ、補正信号ＡＭＳ”及び超過信号ＯＳ”から第１サブフレーム映像信号ＦＳＩＰＳ１及び第２サブフレーム映像信号ＦＳＩＰＳ２を生成することによってフリッカ現象を除去することができる。
【００９１】
その他の構成については図３Ａ乃至図３Ｂと同様であるので、詳細な説明は省略する。
【００９２】
図８は本発明の他の一実施形態に係る補正ユニット１０３”のブロック図である。
【００９３】
図８を参照すれば、補正ユニット１０３”はフィルター手段１３４’及び演算部１３５をさらに含む。
【００９４】
信号出力部１２４”の補正信号生成手段１３２は、低周波映像信号ＬＩＳ、高周波映像信号ＨＩＳ、高周波映像信号ＨＩＳのコントラストＣＴＲ”及び高周波映像信号ＨＩＳの平坦度ＦＬＮ”を受信し、図７Ｂに示した補正信号生成手段１３２と同様の方法により補正信号ＡＭＳ”を生成し、出力手段１３３は補正信号ＡＭＳ”を減算部１２５”に出力する。即ち、信号出力部１２４”は補正信号ＡＭＳ”を減算部１２５”に出力する。減算部１２５”は高周波映像信号ＨＩＳと補正信号ＡＭＳ”とを受信する。減算部１２５”は高周波映像信号ＨＩＳから補正信号ＡＭＳ”を減算した補正差分信号ＡＮＳを超過信号生成部１２１に出力する。
【００９５】
超過信号生成部１２１は補正差分信号ＡＮＳを受信し、これに基づいて図７Ａに示した超過信号生成部１２１と同様の方法により超過信号ＯＳ”をフィルター手段１３４’に出力する。
【００９６】
フィルター手段１３４’は超過信号ＯＳ”及び補正信号ＡＭＳ”を受信して加算する。フィルター手段１３４’は加算した信号をフィルタリングする。本発明の一例でフィルター手段１３４’は低域通過フィルター（図示せず）を含み、フィルター手段１３４’は低域通過フィルターを通じて、前述の加算された信号を低域通過フィルタリング（ｌｏｗ  ｐａｓｓ  ｆｉｌｔｅｒｉｎｇ）してフィルタリング信号ＦＴＳ’を生成する。但し、フィルター手段１３４’は、低域通過フィルターに限定されるものではなく、多様なフィルターを含むことができる。例えば、フィルター手段１３４’はディザ（ｄｉｔｈｅｒ）又はゲインリミッタ（ｇａｉｎ  ｌｉｍｉｔｅｒ）を含んでもよい。
【００９７】
演算部１３５は高周波映像信号ＨＩＳ、低周波映像信号ＬＩＳ及びフィルタリング信号ＦＴＳ’を受信する。演算部１３５は高周波映像信号ＨＩＳからフィルタリング信号ＦＴＳ’を減算して第１サブフレーム映像信号ＦＳＩＰＳ１’を信号逆変換部１０４に出力し、低周波映像信号ＬＩＳにフィルタリング信号ＦＴＳ’を加算して第２サブフレーム映像信号ＦＳＩＰＳ２’を信号逆変換部１０４に出力する。
【００９８】
このように補正ユニット１０３”がフィルター手段１３４’をさらに含むことによって、補正信号ＡＭＳ”から補正される範囲が非常に大きい場合に発生するノイズ発生等を防止することができる。
【００９９】
その他の構成については図７Ａ及び図７Ｂと同様であるので、詳細な説明は省略する。
【０１００】
図９は本発明の一実施形態に係る表示装置１０００の駆動方法に対するフロー図である。
【０１０１】
図１及び図９を参照すれば、制御部１００はフレーム映像信号ＦＩＰＳを受信する（Ｓ９０１）。そして、制御部１００はフレーム映像信号ＦＩＰＳに基づいて各々が１つのフレームから分割されたサブフレームに対応する第１サブフレーム映像信号ＦＳＩＰＳ１と第２サブフレーム映像信号ＦＳＩＰＳ２とを生成し、これらを選択的に出力する（Ｓ９０２）。
【０１０２】
図１０は本発明の一実施形態に係る第１及び第２サブフレーム映像信号ＦＳＩＰＳ１、ＦＳＩＰＳ２の出力段階を説明するフロー図である。
【０１０３】
図２、図３Ａ、図３Ｂ及び図１０を参照すれば、先ずフィルター部１０２を通じて高周波映像信号ＨＩＳ及び低周波映像信号ＬＩＳを出力する（Ｓ１００１＿１、Ｓ１００１＿２）。そして、超過信号生成部１２１は高周波映像信号ＨＩＳの中で階調値が最大許容階調値以上である一部の高周波映像信号ＨＩＳから超過信号ＯＳを生成する（Ｓ１００２）。そして、減算部１２５を通じて高周波映像信号ＨＩＳに超過信号ＯＳを減算した高周波中間信号ＨＭＳを生成し（Ｓ１００３＿１）、加算部１２６を通じて低周波映像信号ＬＩＳに超過信号ＯＳを加算した低周波中間信号ＬＭＳを生成する（Ｓ１００３＿２）。
【０１０４】
次に、コントラスト算出部１２２は高周波中間信号ＨＭＳ及び低周波中間信号ＬＭＳを通じてフレーム映像信号ＦＩＰＳのコントラストＣＴＲを算出し、平坦度算出部１２３は高周波中間信号ＨＭＳの平坦度ＦＬＮを算出する（Ｓ１００４）。信号出力部１２４の補正信号生成手段１３２は超過信号ＯＳ、高周波中間信号ＨＭＳの平坦度ＦＬＮ、高周波映像信号ＨＩＳ及び低周波映像信号ＬＩＳに基づいて、補正信号ＡＭＳを生成する（Ｓ１００５）。
【０１０５】
信号出力部１２４の出力手段は高周波映像信号ＨＩＳから超過信号ＯＳ及び補正信号ＡＭＳを減算して第１サブフレーム映像信号ＦＳＩＰＳ１を生成して（Ｓ１００６＿１）、信号逆変換部１０４に出力し、低周波映像信号ＬＩＳに超過信号ＯＳ及び補正信号ＡＭＳを加算して第２サブフレーム映像信号ＦＳＩＰＳ２を生成して（Ｓ１００６＿２）、信号逆変換部１０４に出力する。
【０１０６】
また、図面としては図示しなかったが、図１０のフロー図でＳ１００５とＳ１００６＿１との間又はＳ１００５とＳ１１０６＿２との間に図６に示したように超過信号ＯＳと補正信号ＡＭＳとを加算した信号をフィルター手段１３４の低域通過フィルターに通過させてフィルタリング信号ＦＴＳを生成し、これに基づいて第１サブフレーム映像信号ＦＳＩＰＳ１’及び第２サブフレーム映像信号ＦＳＩＰＳ２’を生成して出力することもできる。
【０１０７】
その他の内容については図２、図３Ａ及び図３Ｂで説明したので、詳細な説明は省略する。
【０１０８】
図１１は本発明の他の実施形態に係る第１及び第２サブフレーム映像信号ＦＳＩＰＳ１、ＦＳＩＰＳ２の出力段階を説明するフロー図である。
【０１０９】
図２、図７Ａ、図７Ｂ及び図１１を参照すれば、図１０と比較する時、補正信号ＡＭＳ”が超過信号ＯＳ”より先に生成していることがわかる（Ｓ１１０３及びＳ１１０５参照）。
【０１１０】
先ず、フィルター部１０２を通じて高周波映像信号ＨＩＳ及び低周波映像信号ＬＩＳを出力する（Ｓ１１０１＿１、Ｓ１１０１＿２）。コントラスト算出部１２２は、高周波映像信号ＨＩＳを受信して高周波映像信号ＨＩＳのコントラストＣＴＲ”を算出し、平坦度算出部１２３は高周波映像信号ＨＩＳの平坦度ＦＬＮ”を算出する（Ｓ１１０２）。次に信号出力部１２４”の補正信号生成手段１３２は、高周波映像信号ＨＩＳのコントラストＣＴＲ”、高周波映像信号ＨＩＳの平坦度ＦＬＮ”、高周波映像信号ＨＩＳ及び低周波映像信号ＬＩＳを受信し、これらに基づいて補正信号ＡＭＳ”を生成する（Ｓ１１０３）。そして、信号出力部１２４”の出力手段１３３は高周波映像信号ＨＩＳから補正信号ＡＭＳ”を減算した補正差分信号ＡＮＳを生成し（Ｓ１１０４＿１）、低周波映像信号ＬＩＳに補正信号ＡＭＳ”を加算した補正加算信号ＡＳＳを生成する（Ｓ１１０４＿２）。超過信号生成部１２１は補正差分信号ＡＮＳを受信し、図３Ａに示した超過信号生成部１２１と同様の方法によって超過信号ＯＳ”を生成する（Ｓ１１０５）。減算部１２５’は補正差分信号ＡＮＳから超過信号ＯＳ”を減算して第１サブフレーム映像信号ＦＳＩＰＳ１を生成して（Ｓ１１０６＿１）、信号逆変換部１０４に出力する。加算部１２６’は補正加算信号ＡＳＳに超過信号ＯＳ”を加算して第２サブフレーム映像信号ＦＳＩＰＳ２を生成して（Ｓ１１０６＿２）、信号逆変換部１０４に出力する。
【０１１１】
また、図面としては図示しなかったが、図１１のフロー図でＳ１１０５とＳ１１０６＿１との間又はＳ１１０５とＳ１１０６＿２との間に図８に示したように超過信号ＯＳ”と補正信号ＡＭＳとを加算した信号をフィルター手段１３４’の低域通過フィルターに通過させてフィルタリング信号ＦＴＳ’を生成し、これに基づいて第１サブフレーム映像信号ＦＳＩＰＳ１’及び第２サブフレーム映像信号ＦＳＩＰＳ２’を生成して出力することもできる。
【０１１２】
その他の内容については図７Ａ及び図７Ｂで説明したので、詳細な説明は省略する。
【０１１３】
以上、実施形態を参照して説明したが、該当技術分野の熟練された当業者は下記の特許請求の範囲に記載された本発明の思想及び領域から逸脱しない範囲内で本発明を多様に修正及び変更することができることを理解するべきである。また、本発明に開示された実施形態は本発明の技術思想を限定するためのものではなく、下記の特許請求の範囲及びそれと同等な範囲内にあるすべての技術思想は本発明の権利範囲に含まれることと解釈されなければならない。
【符号の説明】
【０１１４】
１００        制御部
１０１        信号変換部
１０２        フィルター部
１０３        補正ユニット
１０４        信号逆変換部
１１１        フィルター
１１２        減算器
１１３        加算器
１２１        超過信号生成部
１２２        コントラスト算出部
１２３        平坦度算出部
１２４        信号出力部
１２５        減算部
１２６        加算部
１３１        臨界ＬＵＴ
１３２        補正信号生成手段
１３３        出力手段
２００        ゲートドライバー
３００        データドライバー
【図１】
2018081305.tif 000011
【図２】
2018081305.tif 000012
【図３Ａ】
2018081305.tif 000013
【図３Ｂ】
2018081305.tif 000014
【図４Ａ】
2018081305.tif 000015
【図４Ｂ】
2018081305.tif 000016
【図４Ｃ】
2018081305.tif 000017
【図５Ａ】
2018081305.tif 000018
【図５Ｂ】
2018081305.tif 000019
【図６】
2018081305.tif 000020
【図７Ａ】
2018081305.tif 000021
【図７Ｂ】
2018081305.tif 000022
【図８】
2018081305.tif 000023
【図９】
2018081305.tif 000024
【図１０】
2018081305.tif 000025
【図１１】
2018081305.tif 000026